(57)【要約】【課題】吸引プラテン２５０の発生する気流による記録画像の品質低下を防止する。【解決手段】記録用紙１５０を搬送方向に搬送する搬送部２１０と、搬送部２１０により搬送された記録用紙１５０に向かってインクを吐出する記録ヘッド２３２と、表面に負圧を形成して搬送部２１０から送り込まれた記録用紙１５０を吸引する機能を有して、記録ヘッド２３２に対向する位置において記録用紙１５０を位置決めする吸引プラテン２５０とを備えたインクジェット式記録装置１００であって、吸引プラテン２５０は、搬送方向に配列され、記録用紙１５０に対する吸引力を個別に発生する複数の吸引領域２８０、２９０を含み、複数の吸引領域２８０、２９０のうち、記録用紙１５０が存在する吸引領域２８０、２９０において当該記録用紙１５０を吸引して、記録用紙１５０が存在しない吸引領域２８０、２９０においては吸引を制限する。【選択図】図７
2009028917.tif 000002
【特許請求の範囲】
【請求項１】
被記録媒体を搬送方向に搬送する搬送部と、
前記搬送部により搬送された被記録媒体に向かってインクを吐出する記録ヘッドと、
表面に負圧を形成して前記搬送部から送り込まれた被記録媒体を吸引する機能を有し、前記記録ヘッドに対向する位置において前記被記録媒体を位置決めする吸引プラテンと
を備えた記録装置であって、
前記吸引プラテンは、前記搬送方向に、前記被記録媒体に対する吸引力を個別に発生する複数の領域を有し、前記被記録媒体の搬送に伴って、前記被記録媒体が存在する領域において当該被記録媒体を吸引し、前記被記録媒体が存在しない領域においては吸引を制限する記録装置。
【請求項２】
前記複数の領域は、個別に動作または停止して吸引力を発生または停止する吸引手段を個別に有する請求項１に記載の記録装置。
【請求項３】
前記吸引プラテンは、前記複数の領域から共通に使用される負圧源と、前記複数の領域の各々を前記負圧源に対して個別に連通させまたは遮断する開閉バルブとを有する請求項１に記載の記録装置。
【請求項４】
前記搬送部が前記被記録媒体を搬送し始めてから後に前記被記録媒体を搬送した量に基づいて、前記吸引プラテンの表面において前記被記録媒体が存在する領域を検出する検出部を更に備える請求項１に記載の記録装置。
【請求項５】
前記吸引プラテンの表面に存在する前記被記録媒体により断続されるスイッチを含む検出部を更に備える請求項１に記載の記録装置。
【請求項６】
前記複数の領域は、前記搬送方向に交差する方向についても複数が配列され、当該複数の領域のうち、前記被記録媒体が存在する領域において当該被記録媒体を吸引し、前記被記録媒体が存在しない領域においては吸引を制限する請求項１に記載の記録装置。
【請求項７】
被記録媒体を搬送方向に搬送する搬送部と、
前記搬送部により搬送された被記録媒体に向かってインクを吐出する記録ヘッドと、
表面に負圧を形成して、前記搬送部から送り込まれた被記録媒体を、前記記録ヘッドに対向する位置において吸引して位置決めする吸引プラテンと
を備えた記録装置であって、
前記吸引プラテンは、前記搬送方向に配列され、前記被記録媒体を個別に吸引する複数の領域を含み、
前記搬送方向について前記被記録媒体の前端が前記吸引プラテンの表面上を通過する場合は、前記複数の領域のうち前記被記録媒体が存在する領域が、前記搬送方向について上流側から順次当該被記録媒体を吸引し、
前記搬送方向について前記被記録媒体の後端が前記吸引プラテンの表面上を通過する場合は、前記複数の領域のうち前記被記録媒体が存在する領域が、前記搬送方向について上流側から順次当該被記録媒体に対する吸引を制限する記録装置。
【請求項８】
被記録媒体を搬送方向に搬送する搬送部と、
前記搬送部により搬送された被記録媒体に向かって液体を噴射する液体噴射ヘッドと、
表面に負圧を形成して前記搬送部から送り込まれた被記録媒体を吸引する機能を有し、前記液体噴射ヘッドに対向する位置において前記被記録媒体を位置決めする吸引プラテンと
を備えた液体噴射装置であって、
前記吸引プラテンは、前記搬送方向に配列され、前記被記録媒体に対する吸引力を個別に発生する複数の領域を含み、前記複数の領域のうち、前記被記録媒体が存在する領域において当該被記録媒体を吸引し、前記被記録媒体が存在しない領域においては吸引を制限する液体噴射装置。
【請求項９】
被噴射媒体を搬送方向に搬送する搬送部と、
前記搬送部により搬送された被噴射媒体に向かって液体を噴射する液体噴射ヘッドと、
表面に負圧を形成して、前記搬送部から送り込まれた被記録媒体を、前記液体噴射ヘッドに対向する位置において吸引して位置決めする吸引部と
を備えた液体噴射装置であって、
前記吸引部は、前記搬送方向に、前記被噴射媒体を個別に吸引する複数の領域を有し、
前記搬送方向について前記被噴射媒体の前端が前記吸引部の表面上を通過する場合は、前記複数の領域のうち前記被噴射媒体が存在する領域が、前記搬送方向について上流側から順次当該被噴射媒体を吸引し、
前記搬送方向について前記被噴射媒体の後端が前記吸引プラテンの表面上を通過する場合は、前記複数の領域のうち前記被噴射媒体が存在する領域が、前記搬送方向について上流側から順次当該被噴射媒体に対する吸引を制限する液体噴射装置。
【発明の詳細な説明】
【技術分野】
【０００１】
本発明は、記録装置および液体噴射装置に関する。より詳細には、被記録媒体を吸引することにより位置決めする吸引プラテンを備えた記録装置および液体噴射装置に関する。
【背景技術】
【０００２】
微細なノズルを備えた記録ヘッドからインク等の液体を吐出して被記録媒体に付着させるインクジェット式記録装置がある。この種の装置は、所定の主走査方向に往復移動する記録ヘッドと、主走査方向に対して交差する搬送方向に被記録媒体を移動させる搬送部とを備え、主走査および搬送を組み合わせることにより被記録媒体上の任意の領域に液体を付着させて画像を形成する。
【０００３】
上記のようなインクジェット式記録装置において、主走査方向の往復移動範囲は装置の仕様により決定され、なかには１ｍを越える主走査幅を有してポスター等の大型の画像を記録できるものもある。一方、搬送方向については被記録媒体の長さは制限されない。そこで、長尺の被記録媒体を巻き重ねたロールを装填して、横断幕、懸垂幕等に長い画像を形成する記録装置もある。
【０００４】
一方、インクジェット式記録装置において、ノズルおよび被記録媒体の間隔であるプラテンギャップは、記録画像の品質に強く影響する。そこで、記録ヘッドに対向する位置において被記録媒体を裏面から支持して被記録媒体を位置決めするプラテンがインクジェット式記録装置に設けられる。
【０００５】
また、インクを付着させる場合の被記録媒体の平坦性も、上記のプラテンギャップを変化させる。そこで、特に被記録媒体としてロール紙を用いる記録装置では、ロールから引き出された被記録媒体に巻き癖が残る場合があること、当該被記録媒体自体の曲げ剛性が高いこと等への対策として、吸引プラテンを備える機種がある。多くの吸引プラテンは、その表面に連通した複数の吸引孔を有して、この吸引孔を何らかの減圧源に連通させることにより被記録媒体を平坦な表面に吸着させる。
【０００６】
下記の特許文献１には、被記録媒体としてのワークシートを吸着ファンにより吸着するプラテンを備えたプロッタが記載される。このプロッタでは、ワークシートの幅に合わせて吸着ファンの回転数が変化して、ワークシートを確実に吸着する。
【０００７】
また、下記の特許文献２には、ファンを収容した気密性の高いファンボックスと、ファンボックスの一面に配列された吸気穴を有する案内板とを備える用紙案内機構が記載される。このような構造により、小容量のファンを用いて効率よく作画媒体を吸着できる。
【０００８】
更に、下記の特許文献３には、作画媒体の物性に応じて動作を選択できる吸引ファンを備えたプラテンが記載される。これにより、バックプリントフィルム等の表面性状を荒らすことなく搬送できる。
【０００９】
また更に、下記の特許文献４には、吸引用ファンを有するプラテンの表面に凹部を形成することが記載される。これにより、被記録材の皺が発生し難くなる。
【００１０】
このように、吸引プラテンを備えた記録装置では、被記録媒体が確実に位置決めされ、適正なプラテンギャップが保たれる。また、巻き癖等がついている場合でも、吸引プラテンの上では被記録媒体が平坦になり、均一なプラテンギャップが維持される。従って、インクジェット式記録装置の高い記録品質を効果的に活かすことができる。
【特許文献１】特開平０６−０１５９０２号公報
【特許文献２】特開２００１−０８８９７９号公報
【特許文献３】特開２００２−１２７５１５号公報
【特許文献４】特開２００６−２３１７０５号公報
【発明の開示】
【発明が解決しようとする課題】
【００１１】
インクジェット式記録装置において、記録ヘッドから吐出されたインクは、吐出されたときに与えられた運動エネルギーの慣性により、記録ヘッドから被記録媒体までの間を飛翔する。一方、搬送方向について被記録媒体の前端側が吸引プラテン上に差しかかり始める期間、および、搬送方向について被記録媒体の後端側が吸引プラテンの上から抜け出る期間においては、吸引プラテンの吸引孔の一部が、被記録媒体に遮られることなく、記録ヘッドに対して露出する。また、被記録媒体の幅がプラテンの幅よりも狭い場合も、吸引孔の一部が記録ヘッドに対して露出する。
【００１２】
この状態で吸引プラテンが吸引動作をすると、飛翔するインクが吸引孔に吸い寄せられる場合がある。吸い寄せられて軌道が変化したインクは、被記録媒体の表面において当初意図した領域とは異なる領域に付着する。このため、吸引プラテンを有する記録装置においては、被記録媒体の縁部近傍において記録画像の品質が低下する場合がある。
【課題を解決するための手段】
【００１３】
上記課題の解決を目して、本発明の第１の形態として、被記録媒体を搬送方向に搬送する搬送部と、搬送部により搬送された被記録媒体に向かってインクを吐出する記録ヘッドと、表面に負圧を形成して搬送部から送り込まれた被記録媒体を吸引する機能を有し、記録ヘッドに対向する位置において被記録媒体を位置決めする吸引プラテンとを備えた記録装置であって、吸引プラテンは、搬送方向に、被記録媒体に対する吸引力を個別に発生する複数の領域を有し、被記録媒体の搬送に伴って、被記録媒体が存在する領域において当該被記録媒体を吸引し、被記録媒体が存在しない領域においては吸引を制限する記録装置が提供される。これにより、吸引プラテンの吸引孔の一部が記録ヘッドに対して露出している場合には、吸引プラテンによる吸引が制限され、記録ヘッドから吐出されて飛翔するインクの軌道が吸引により生じた気流で変化することが防止される。従って、被記録媒体の縁部においても高品質な画像を記録できる。
【００１４】
また、上記記録装置において、複数の領域は、個別に動作または停止して吸引力を発生または停止する吸引ファンを個別に有してもよい。これにより、電気的な制御により、各領域における吸引を開始または停止できる。
【００１５】
更に、上記記録装置において、吸引プラテンは、複数の領域で共通の負圧源と、複数の領域の各々を負圧源に対して個別に連通させまたは遮断する開閉バルブとを有してもよい。これにより、吸引ファン等の減圧源を定常運転する一方で、バルブの開閉により、各領域における吸引の開始たまは停止を迅速に切り替えることができる。
【００１６】
また更に、上記記録装置において、搬送部が被記録媒体を搬送し始めてから後に被記録媒体を搬送した量に基づいて、吸引プラテンの表面において被記録媒体が存在する領域を検出する検出部を更に備えてもよい。これにより、付加的なセンサ等の検出機構を設けることなく、吸引の開始または停止を制御できる。
【００１７】
また更に、上記記録装置において、吸引プラテンの表面に存在する被記録媒体により断続されるスイッチを含む検出部を更に備えてもよい。これにより、吸引プラテンの表面における被記録媒体の存在を確実に検出して、制御部による制御の精度を高くすることができる。
【００１８】
また更に、上記記録装置において、複数の領域は、搬送方向に交差する方向についても複数が配列され、当該複数の領域のうち、被記録媒体が存在する領域において当該被記録媒体を吸引し、被記録媒体が存在しない領域においては吸引を制限してもよい。これにより、搬送方向に対して直交する幅が狭い被記録媒体に対して画像を記録する場合にも、上記の効果を享受できる。
【００１９】
また、本発明の第２の形態として、被記録媒体を搬送方向に搬送する搬送部と、搬送部により搬送された被記録媒体に向かってインクを吐出する記録ヘッドと、表面に負圧を形成して、搬送部から送り込まれた被記録媒体を、記録ヘッドに対向する位置において吸引して位置決めする吸引プラテンとを備えた記録装置であって、吸引プラテンは、搬送方向に配列され、被記録媒体を個別に吸引する複数の領域を含み、搬送方向について被記録媒体の前端が吸引プラテンの表面上を通過する場合は、複数の領域のうち被記録媒体が存在する領域が、搬送方向について上流側から順次当該被記録媒体を吸引し、搬送方向について被記録媒体の後端が吸引プラテンの表面上を通過する場合は、複数の領域のうち被記録媒体が存在する領域が、搬送方向について上流側から順次当該被記録媒体に対する吸引を制限するする記録装置が提供される。これにより、吸引する領域と吸引を制限した領域とをきめ細かく配置して、高い吸引力を維持することができる。
【００２０】
また、本発明の第３の形態として、被噴射媒体を搬送方向に搬送する搬送部と、搬送部により搬送された被噴射媒体に向かって液体を噴射する液体噴射ヘッドと、表面に負圧を形成して、搬送部から送り込まれた被記録媒体を、液体噴射ヘッドに対向する位置において吸引して位置決めする吸引部とを備えた液体噴射装置であって、吸引部は、搬送方向に、被噴射媒体を個別に吸引する複数の領域を有し、搬送方向について被噴射媒体の前端が吸引部の表面上を通過する場合は、複数の領域のうち被噴射媒体が存在する領域が、搬送方向について上流側から順次当該被噴射媒体を吸引し、搬送方向について被噴射媒体の後端が吸引プラテンの表面上を通過する場合は、複数の領域のうち被噴射媒体が存在する領域が、搬送方向について上流側から順次当該被噴射媒体に対する吸引を制限する液体噴射装置が提供される。これにより、液体噴射装置においても上記の効果を享受できる。
【００２１】
更に、本発明の第４の形態として、被記録媒体を搬送方向に搬送する搬送部と、搬送部により搬送された被記録媒体に向かって液体を噴射する液体噴射ヘッドと、表面に負圧を形成して、搬送部から送り込まれた被記録媒体を、液体噴射ヘッドに対向する位置において吸引して位置決めする吸引プラテンとを備えた記録装置であって、吸引プラテンは、搬送方向に配列され、被記録媒体を個別に吸引する複数の領域を含み、搬送方向について被記録媒体の前端が吸引プラテンの表面上を通過する場合は、複数の領域のうち被記録媒体が存在する領域が、搬送方向について上流側から順次当該被記録媒体を吸引し、搬送方向について被記録媒体の後端が吸引プラテンの表面上を通過する場合は、複数の領域のうち被記録媒体が存在する領域が、搬送方向について上流側から順次当該被記録媒体に対する吸引を制限するする液体噴射装置が提供される。これにより、液体噴射装置においても上記の効果を享受できる。
【００２２】
なお、上記の発明の概要は、本発明の必要な特徴の全てを列挙したものではない。また、これらの特徴群のサブコンビネーションも発明となり得る。
【発明を実施するための最良の形態】
【００２３】
以下、発明の実施の形態を通じて本発明を説明するが、以下の実施形態は特許請求の範囲にかかる発明を限定するものではない。また、実施の形態において説明されている特徴の組み合わせの全てが発明の解決手段に必須であるとは限らない。
【実施例１】
【００２４】
図１は、ひとつの実施の形態に係るインクジェット式記録装置１００の外観を示す斜視図である。なお、このインクジェット式記録装置１００は、例えばＪＩＳ規格のＡ０判、Ｂ０判といった大判の単票、あるいはこれらに匹敵する用紙幅を有するロール紙に記録できる。
【００２５】
同図に示すように、インクジェット式記録装置１００は、互いに積層された上部筐体１１２および下部筐体１１４と、下部筐体１１４の下に釣り下げられた小型筐体１１６とを含む筐体１１０を有して、更に、筐体１１０を下方から支持する脚部１２０を有する。これにより、筐体１１０の下方に記録用紙１５０の排紙のスペースを形成できる。
【００２６】
上部筐体１１２は、後述する記録ヘッド２３２等を収容する。一方、下部筐体１１４は、これも後述する吸引プラテン２５０等を収容する。更に、小型筐体１１６は、廃液吸収体２６０を収容する。廃液吸収体２６０は、記録ヘッド２３２から吐出されながら記録用紙１５０に付着しなかったインクを蓄積する。
【００２７】
上部筐体１１２には、このインクジェット式記録装置１００をスタンドアロンで操作する場合に使用する操作パネル１３０が設けられる。操作パネル１３０には、インクジェット式記録装置１００の動作状態を示す表示パネル、ランプ等が設けられる場合もある。一方、下部筐体１１４には、記録ヘッド２３２に供給するインクを収容したインクカートリッジ２４０を装填するカートリッジホルダ１４０が設けられる。
【００２８】
上記のようなインクジェット式記録装置１００において、画像を記録された記録用紙１５０は、上部筐体１１２および下部筐体１１４の間から前方に送り出される。送り出された記録用紙１５０は、自重により下方に垂れ下がる。このため、上部筐体１１２および下部筐体１１４の間隙に見える吸引プラテン２５０の前端には、記録用紙１５０を円滑に案内する案内面２５２が形成される。
【００２９】
図２は、インクジェット式記録装置１００を背面から見た様子を示す斜視図である。同図に示すように、インクジェット式記録装置１００の背面において、下部筐体１１４の後部には、水平に掛け渡されたスピンドル１６０と、スピンドル１６０を挿通されて水平に支持されたロール１５２とが装着される。ロール１５２から引き出され、筐体１１０の内部を通過して前面に引き出されたものが、図１に示した記録用紙１５０になる。
【００３０】
図３は、インクジェット式記録装置１００の内部機構２００を示す斜視図である。内部機構２００は、インクジェット式記録装置１００から筐体１１０を取り外した場合に現れる。
【００３１】
同図に示すように、インクジェット式記録装置１００は、上部筐体１１２の内部には、水平方向に全幅にわたって延在するガイドレール２２０と、ガイドレール２２０に沿って水平に往復移動するキャリッジ２３０を備える。キャリッジ２３０には、後述するように、インクを吐出する記録ヘッド２３２が搭載される。また、ガイドレール２２０の下方には、記録用紙１５０を後方から前方に向かって移動させる搬送部２１０が配置される。
【００３２】
一方、下部筐体１１４の内部には、ガイドレール２２０の下方に水平面を有する吸引プラテン２５０が配置される。また、下部筐体１１４は、インクカートリッジ２４０も収容する。更に、脚部１２０の図中右側の側方には、小型筐体１１６に収容された廃液吸収体２６０が露出する。
【００３３】
図４は、図３に示した内部機構２００の一部を拡大して、記録用紙１５０の搬送経路３００を示す斜視図である。同図に示すように、吸引プラテン２５０の後方には、搬送駆動ローラ２１２および搬送従動ローラ２１４を含む搬送部２１０が形成される。
【００３４】
搬送駆動ローラ２１２は、図示されていない搬送モータにより回転駆動される。一方、搬送従動ローラ２１４は、ローラホルダ２１６を介して下方に向かって付勢され、搬送駆動ローラ２１２に対して当接して連れ回される。
【００３５】
上記のような搬送駆動ローラ２１２および搬送従動ローラ２１４の間に記録用紙１５０が挟まれた場合、記録用紙１５０は搬送従動ローラ２１４により搬送駆動ローラ２１２に押し付けられる。これにより、搬送駆動ローラ２１２の回転に従って吸引プラテン２５０の上面に送り出される。
【００３６】
図５は、吸引プラテン２５０の構造と機能を模式的に示す断面図である。同図に示すように、吸引プラテン２５０は、その上面に多数の吸引孔２５９を有する。吸引孔２５９の下端は、吸引プラテン２５０の内部に形成された減圧室２８３、２９３にそれぞれ連通する。ここで、この吸引プラテン２５０は、２つの互いに独立した減圧室２８３、２９３を有する。
【００３７】
減圧室２８３、２９３は、それぞれダクト２８５、２９５を介して、吸引ファン２８４、２９４に連通する。吸引ファン２８４、２９４が動作した場合、減圧室２８３、２９３は、その内部の空気を外部に排出されて負圧となる。これにより、減圧室２８３、２９３に連通した吸引孔２５９は吸引力を生じ、吸引プラテン２５０の上面に記録用紙１５０を吸着する。
【００３８】
また、既に述べたように、吸引プラテン２５０は２つの独立した減圧室２８３、２９３を有して、それぞれに吸引ファン２８４、２９４を備える。従って、吸引ファン２８４が動作した場合は、減圧室２８３に連通した吸引孔２５９が、吸引ファン２９４が動作した場合は、減圧室２９３に連通した吸引孔２５９が、それぞれ吸引力を発揮する。
【００３９】
吸引ファン２８４、２９４の各々は、スイッチ２５３、２５５を介して電源２５６に結合され、個別に停止または動作する。従って、スイッチ２５３、２５５を介した電気的な制御により、吸引プラテン２５０の表面に特定の領域に吸引力を発生させ、また、それを停止させることができる。スイッチ２５３、２５５は、制御部２５８によりその開閉を制御される。制御部２５８は、吸引プラテン２５０の上方に配置された複数のセンサ２３６、２３７、２３８から得られた情報に基づいてスイッチ２５３、２５５を開閉する。
【００４０】
ここで、ひとつのセンサ２３６は、記録用紙１５０の搬送方向Ｍについて、最も上流側の吸引孔２５９の直前において吸引プラテン２５０上に記録用紙１５０が存在するか否かを検出する。また、他のセンサ２３７は、２つの減圧室２８３、２９３の境界において吸引プラテン２５０上に記録用紙１５０が存在するか否かを検出する。更に、もうひとつのセンサ２３８は、記録用紙１５０の搬送方向Ｍについて、最も下流側の吸引孔２５９の直後において吸引プラテン２５０上に記録用紙１５０が存在するか否かを検出する。
【００４１】
センサ２３６、２３７、２３８の各々から記録用紙１５０の存否を通知された制御部２５８は、図７および図８を参照して後述するように、記録用紙１５０の存否の組み合わせに応じてスイッチ２５３、２５５の開閉を制御する。なお、上記のようなセンサ２３６、２３７、２３８は、例えば、吸引プラテン２５０の表面における反射率の変化を検知する光学センサをキャリッジ２３０に搭載して形成できる。
【００４２】
図６は、記録用紙１５０の搬送経路３００における吸引プラテン２５０上の吸引領域２８０、２９０のレイアウトを示す平面図である。同図に示すように、インクジェット式記録装置１００の後方に装填されたロール１５２から引き出された記録用紙１５０は、搬送部２１０により搬送方向Ｍに搬送され、前方の吸引プラテン２５０の上に送り込まれる。
【００４３】
吸引プラテン２５０は、その表面に開口する多数の吸引孔２５９を有して、直下の減圧室２８３、２９３が減圧された場合に吸引プラテン２５０の表面に負圧を発生して記録用紙１５０を吸着する。これにより、記録用紙１５０に巻き癖等が生じている場合でも、吸引プラテン２５０の平坦な表面に吸着されて平坦になる。従って、吸引プラテン２５０上では、記録用紙１５０の記録ヘッド２３２に対する間隔が正確に維持されて記録画像の品質が高く保たれる。
【００４４】
また、前記したように、この吸引プラテン２５０は、互いに独立して吸引力を発生または停止する２つの減圧室２８３、２９３を備える。このため、吸引プラテン２５０の表面には、記録用紙１５０の搬送方向Ｍについて２つに分かれた２つの吸引領域２８０、２９０が形成される。
【００４５】
一方、吸引プラテン２５０の上方において、キャリッジ２３０はガイドレール２２０に沿って往復移動する。また、キャリッジ２３０には、多数のノズル２３４を有する記録ヘッド２３２が搭載される。従って、記録用紙１５０の搬送と記録ヘッド２３２の往復移動とを駆動は組み合わせることにより、記録用紙１５０の任意の領域に向かってインクを吐出して付着させることができる。また、記録ヘッド２３２は、多数のノズル２３４を有するので、キャリッジ２３０による１回の走査で多数の画素を形成できるので、記録速度を向上させることができる。
【００４６】
更に、キャリッジ２３０は、記録ヘッド２３２と共に、センサ２３６、２３７、２３８を搭載する。センサ２３６、２３７、２３８を利用した吸引プラテン２５０の動作については後述する。
【００４７】
図７は、記録用紙１５０の搬送に伴う吸引プラテン２５０の動作状態の遷移を模式的に示す図である。同図に示すように、吸引プラテン２５０の上面において、記録用紙１５０は、搬送部２１０により搬送されて、吸引プラテン２５０の上面を順次覆いつつ、搬送方向Ｍに沿って進行する。センサ２３６、２３７、２３８の各々は、自身の直下に記録用紙１５０が存在する場合に、それを検出した旨を制御部２５８に通知する。
【００４８】
これに対して、制御部２５８は、記録用紙１５０が吸引プラテン２５０の差しかかる当初は、スイッチ２５３、２５５をいずれも開いた状態にして吸引ファン２８４、２９４を停止させる。従って、吸引プラテン２５０は、記録用紙１５０を吸着しない。ただし、図中に示すように、搬送部２１０は搬送駆動ローラ２１２の中心軸を通る垂直線に対して搬送従動ローラ２１４は下流側に変奇して配設されていることから、記録用紙１５０をやや下方にむけて搬送するので、記録用紙１５０自体の剛性により記録用紙１５０の先端は吸引プラテン２５０の上面に沿って移動する。
【００４９】
次に、進行した記録用紙１５０の前端が、図中に実線で示すように、中央のセンサ２３７の直下まで到達したとき、即ち、吸引領域２８０が全体に記録用紙１５０で覆われた状態になったとき、センサ２３７の通知を受けた制御部２５８は、スイッチ２５３を投入して吸引ファン２８４を動作させる。これにより、図中に矢印Ｓで示すように、ダクト２８５を介して吸引プラテン２５０の吸引領域２８０における吸引が開始される。このとき、吸引領域２９０における吸引はまだ開始されない。
【００５０】
続いて、図中に点線で示すように、記録用紙１５０が更に搬送されて吸引プラテン２５０の図中左側の端部に到達して、センサ２３８により検出される。センサ２３８から記録用紙１５０を検出した旨を通知された制御部２５８は、スイッチ２５５を投入して吸引ファン２９４を動作させる。これにより、図中に点線の矢印で示すように、吸引領域２９０における吸引が開始される。
【００５１】
上記のような一連の制御により、この吸引プラテン２５０は、記録用紙１５０により覆われた吸引孔２５９はそれを吸引する一方、記録ヘッド２３２に対して露出した吸引孔２５９は吸引しない。従って、露出した吸引孔２５９が周囲の空気を吸引して気流を生じることがなく、記録ヘッド２３２から吐出されたインクの軌跡が乱されることもない。
【００５２】
図８は、他の実施形態に係る吸引プラテン２５０の構造と動作を、図７に対照して示す図である。同図に示すように、この吸引プラテン２５０は、互いに独立した３つの減圧室２８３、２８７、２９３を備える。減圧室２８３、２８７、２９３は、その直上の吸引孔２５９にそれぞれ連通する。
【００５３】
また、減圧室２８３、２８７、２９３は、個別のダクト２８５、２８９、２９５を介して個別に接続された、図示していない吸引ファンにも連通する。従って、減圧室２８３、２８７、２９３の上方に形成された３つの吸引領域２８０、２８１、２９０は、個別に吸引を開始または停止させることができる。
【００５４】
更に、上記の吸引領域２８０、２８１、２９０に呼応して、キャリッジ２３０は、４つのセンサ２３６、２３７、２３８、２３９搭載する。センサ２３６、２３７、２３８、２３９は、記録用紙１５０の搬送方向Ｍについて最も上流側の吸引孔２５９の位置、減圧室２８３、２８７、２９３の相互の境界の位置、および、最も下流側の吸引孔２５９の位置に配置される。センサ２３６、２３７、２３８、２３９の各々は、それぞれの位置において記録用紙１５０の存否を検出して、検出結果を制御部２５８に通知する。
【００５５】
上記のような構造を有する吸引プラテン２５０は、図７に示した吸引プラテン２５０の場合と同様に、当初は吸引を停止している。やがて、搬送部２１０により搬送された記録用紙１５０が吸引領域２８０の終端、即ち、吸引領域２８０、２８１の境界に差しかかると、搬送方向Ｍについて２番目のセンサ２３７により検出される。センサ２３７から記録用紙１５０を検出した旨を通知された制御部２５８は、図中に矢印Ｓで示すように、ダクト２８５を介して吸引領域２８０の吸引を開始する。
【００５６】
図９は、図８に示した吸引プラテン２５０の続く動作を説明する図である。同図に実線で示すように、搬送部２１０により搬送された記録用紙１５０の先端は、吸引領域２８１、２９０の境界の位置まで前進して、センサ２３８により検出される。記録用紙１５０を検出した旨がセンサ２３８から制御部２５８に通知されると、制御部２５８は図中に矢印Ｓにより示すように、ダクト２８９を介して吸引領域２８１における吸引を開始させる。
【００５７】
更に、同図に点線で示すように、搬送部２１０により搬送された記録用紙１５０の先端が吸引プラテン２５０の終端に到達すると、センサ２３９により検出される。センサ２３９から記録用紙１５０を検出した旨が制御部２５８に通知されると、図中に点線の矢印により示すように、制御部２５８は吸引領域２９０による吸引を開始させる。
【００５８】
こうして、吸引プラテン２５０全面において記録用紙１５０の吸引が開始される。このように、この吸引プラテン２５０においては、吸引孔２５９が記録ヘッド２３２に対して露出した吸引領域２８０、２８１、２９０においては、吸引動作が開始されない。従って、開放された吸引孔２５９に流れ込む気流が、記録ヘッド２３２から吐出されたインク滴の軌道を乱すことがない。
【００５９】
また、この吸引プラテン２５０は、その表面が３つの吸引領域２８０、２８１、２９０に分割されて、それぞれが個別に吸引を開始または停止するので、記録用紙１５０先端の移動に追従して吸引領域２８０、２８１、２９０における吸引の開始を細かく制御できる。従って、露出した吸引孔２５９による吸引が停止される一方で、記録用紙１５０に対して高い吸引力を発揮させることができる。
【００６０】
図１０は、また他の実施形態に係る吸引プラテン２５０の構造と動作を示す図である。同図に示すように、この吸引プラテン２５０は、図７に示した実施形態と同様の構造を有する吸引プラテン２５０を備える。
【００６１】
一方、このインクジェット式記録装置１００では、キャリッジ２３０に、記録用紙１５０の搬送方向Ｍに沿って配列された２つの記録ヘッド２３１、２３３が搭載される。このような構造により、キャリッジ２３０の１回の走査により形成できる画素数を増加させて、インクジェット式記録装置１００の実効的な動作速度を向上させることができる。また、吸引領域２８０、２９０の境界は、記録ヘッド２３１、２３３の境界に対向する位置に形成される。
【００６２】
なお、記録ヘッド２３１、２３３は精密な構造を有するので、単一の記録ヘッド２３１、２３３のノズル数を増加させると製造歩留りが低下する。そこで、高い歩留りを維持できる範囲のノズル数で作成した記録ヘッド２３１、２３３を複数組み合わせることにより、低い製造コストでノズル数を増加させることができる。
【００６３】
また、２つの記録ヘッド２３１、２３３は個別に動作させることができる。そこで、図中に実線で示すように、記録用紙１５０の先端が、記録ヘッド２３１、２３３の境界まで搬送された場合、一方の記録ヘッド２３１からインクを吐出させて、記録用紙１５０の先端近傍に画像の記録を開始する。このとき、他方の記録ヘッド２３３は休止している。
【００６４】
上記のような記録ヘッド２３１、２３３の動作状態に応じて、制御部２５８は、図中の矢印Ｓにより示すように、吸引領域２８０における記録用紙１５０の吸引を開始する。一方、吸引領域２９０による記録用紙１５０の吸引は開始せずに、休止したままにする。これにより、記録ヘッド２３１から吐出されたインクの軌跡が、吸引プラテン２５０の吸引により生じた気流により乱されることが防止される。
【００６５】
続いて、記録用紙１５０の先端近傍への記録ヘッド２３１による画像の記録が終了すると、搬送部２１０は記録用紙１５０を搬送して前進させる。これにより、記録用紙１５０の先端が、他方の記録ヘッド２３３の下方まで前進すると、制御部２５８は、吸引領域２９０による記録用紙１５０の吸引も開始する。これにより、２つの記録ヘッド２３１、２３３を用いた高速な記録動作が開始される。また、吸引プラテン２５０は、全面にわたって記録用紙１５０を吸引する。
【００６６】
なお、上記の実施形態では、説明を簡潔にする目的で、吸引ファン２８４、２９４を動作または停止させるとしたが、記録ヘッド２３１、２３２、２３３から吐出されたインク滴の軌道を乱さない程度であれば、吸引プラテン２５０が動作していても差し支えない。そこで、センサ２３６、２３８のいずれかが記録用紙１５０を検出していない場合には、吸引ファン２８４、２９４の回転速度を低下させる構造とすることもできる。これにより、吸引ファン２８４、２９４は弱い吸引力を維持し続けることができると共に、記録用紙１５０を再び吸引する場合の起動時間を短縮できる。
【００６７】
また、上記の実施形態では、制御部２５８が、センサ２３６、２３７、２３８による記録用紙１５０の検出に基づいて吸引プラテン２５０を制御する場合と、複数の記録ヘッド２３１、２３３の動作状態に応じて吸引プラテン２５０を制御する場合について説明した。しかしながら、制御部２５８による制御方法がこれらに限られるわけではない。
【００６８】
例えば、インクジェット式記録装置１００において、記録用紙１５０の搬送部２１０による搬送量は精密に制御されている。従って、制御部２５８は、搬送された記録用紙１５０の例えば先端位置を一旦検出すれば、以降は搬送部２１０による搬送量から記録用紙１５０の先端位置を検知して制御を実行できる。
【００６９】
図１１は、他の実施の形態に係るインクジェット式記録装置４００の外観を示す斜視図である。同図に示すように、インクジェット式記録装置４００は、記録部筐体４１４およびその後方に突出した後部筐体４１２と、記録部筐体４１４に全面から装着されたペーパカートリッジ４１６とがなす筐体４１０を有する。
【００７０】
後部筐体４１２には図示していないロール紙を装填できる。装填されたロール紙から引き出されたロール紙は、記録部筐体４１４の内部を通過して、ペーパカートリッジ４１６の上面に形成された排出トレイ４７０に排出される。また、このインクジェット式記録装置４００は、ペーパカートリッジ４１６に装填された単票の記録用紙１５４に対して画像を記録することもできる。その場合も、画像を記録された記録用紙１５４は、記録部筐体４１４の内部で経路を折り返して、排出トレイ４７０に排出される。
【００７１】
図１２は、インクジェット式記録装置４００の内部機構５００を示す斜視図である。同図に示すように記録部筐体４１４の内部には、互いに平行な搬送部５１０、吸引プラテン５５０、排出従動ローラ５１８が順次配置される。搬送部５１０の前方に配置された吸引プラテン５５０は、多数の吸引孔５５９を有する水平面を有する。
【００７２】
搬送部５１０は、インクジェット式記録装置１００の場合と同様に、搬送駆動ローラ５１２および搬送従動ローラ５１４を含む。搬送駆動ローラ５１２は、図示されていない搬送モータにより回転駆動される。一方、搬送従動ローラ５１４は、軸５１７について転動するローラホルダ５１６を介して下方に向かって付勢され、搬送駆動ローラ５１２に当接して連れ回される。従って、搬送駆動ローラ５１２および搬送従動ローラ５１４の間に記録用紙１５０が挟まれた場合、記録用紙１５０は搬送従動ローラ５１４により搬送駆動ローラ５１２に押し付けられ、搬送駆動ローラ５１２の回転に従って吸引プラテン５５０の上面に送り出される。
【００７３】
更に、このインクジェット式記録装置４００は、排出従動ローラ５１８を備える。排出従動ローラ５１８は記録された画像を有する記録用紙１５４に接触するので、接触面積を小さくする目的で、ギア状または拍車状のローラが用いられる。これにより、単票の記録用紙１５４の後端まで、一定の制御の下に、記録用紙１５４を移動させることができる。換言すれば、記録用紙１５４の後端が吸引プラテン５５０上を通過している期間も、記録ヘッド２３２がインクを吐出する場合がある。
【００７４】
図１３は、インクジェット式記録装置４００の内部機構５００における記録用紙１５４の搬送経路を示す図である。また、インクジェット式記録装置４００の後方には、スピンドル５６０を挿通されたロール５５２が装填されるが、この実施形態では、ペーパカートリッジ４１６から供給された単票の記録用紙１５４の後端付近が吸引プラテン５５０上を通過する場合について説明する。
【００７５】
同図に示すように、吸引プラテン５５０は、その表面に多数の吸引孔５５９を有する。吸引プラテン５５０自体の構造は、図６に示した吸引プラテン２５０に略等しいので図示は省略するが、吸引プラテン２５０と同様に、記録用紙１５０の搬送方向に隣接した２つの吸引領域５８０、５９０を有する。
【００７６】
一方、吸引プラテン５５０の上方には、その長手方向に延在するガイドレール５２０と、ガイドレール５２０に沿って往復移動するキャリッジ５３０が配置される。キャリッジ５３０には、インクを吐出する記録ヘッド５３２が搭載される。記録ヘッド５３２は多数のノズル５３４を有して、キャリッジ５３０の１回の通過により多数の画素を形成できる。
【００７７】
また、キャリッジ５３０は、記録用紙１５０の存否を検出するセンサ５３６、５３７、５３８を搭載する。センサ５３６、５３７、５３８は、記録用紙１５０の搬送方向Ｍについて、吸引プラテン５５０の前端および後端と、吸引プラテン５５０における２つの吸引領域５８０、５９０の境界に配置される。
【００７８】
この状態でキャリッジ５３０は、ガイドレール５２０に沿って、吸引プラテン５５０の上を往復移動する。従って、記録用紙１５４の搬送と記録ヘッド５３２の往復移動とを駆動は組み合わせることにより、記録用紙１５４の任意の領域に向かってインクを吐出して付着させることができる。
【００７９】
また、吸引孔５５９は、吸引プラテン５５０の表面に負圧を形成するので、記録用紙１５４は吸引プラテン５５０に吸着される。これにより、記録用紙１５４に巻き癖等が生じている場合でも、吸引プラテン５５０の表面に吸着されることにより平坦になる。従って、記録ヘッド５３２に対する間隔が正確に維持されて、記録画像の品質も高く保たれる。
【００８０】
図１４は、吸引プラテン５５０の上で記録用紙１５４に対する記録動作が実行されている状態を模式的に示す断面図である。同図に点線で示す状態では、記録用紙１５４の後端はまだ吸引プラテン５５０上に差しかかっていない。従って、この時点では、２つの吸引領域５８０、５９０の両方において記録用紙１５４が吸引される。
【００８１】
記録用紙１５４が更に搬送されて、図中に実線で示すように前進すると、直下に記録用紙１５４が存在しなくなったことがセンサ５３６により制御部２５８に通知される。そこで、制御部２５８は、吸引領域５８０における記録用紙１５４の吸引を停止する。これにより、吸引孔２５９に流れ込む気流が、記録ヘッド５３２から吐出されたインク滴の軌道を乱すことが防止される。
【００８２】
続いて、図中に実線で示すように、記録用紙１５４の後端が、吸引領域５８０、５９０の境界を通過した場合、直下に記録用紙１５４が存在しなくなったことが、センサ５３７により制御部２５８に通知される。そこで、制御部２５８は、吸引領域５８０における吸引を停止する。これにより、吸引プラテン５５０による記録用紙１５４の吸引は停止するが、排出従動ローラ５１８から後方に延在する記録用紙１５４の長さが短いので、排出従動ローラ５１８により押さえられた記録用紙１５４は吸引プラテン５５０の上面に沿って移動する。
【００８３】
図１５は、他の実施形態に係る吸引プラテン５５０の構造と動作を、図１４に対照して示す図である。同図に示すように、この吸引プラテン５５０は、互いに独立した３つの減圧室５８３、５８７、５９３を備える。減圧室５８３、５８７、５９３は、その直上の吸引孔２５９にそれぞれ連通する。
【００８４】
また、減圧室５８３、５８７、５９３は、個別のダクト５８５、５８９、５９５を介して個別に接続された、図示していない吸引ファンにも連通する。従って、減圧室５８３、５８７、５９３の上方に形成されさた３つの吸引領域５８０、５８１、５９０は、個別に吸引を開始または停止させることができる。
【００８５】
更に、上記の吸引領域５８０、５８１、５９０に呼応して、キャリッジ５３０は、４つのセンサ５３６、５３７、５３８、５３９搭載する。センサ５３６、５３７、５３８、５３９は、記録用紙１５４の搬送方向Ｍについて最も上流側の吸引孔５５９の位置、減圧室５８３、５８７、５９３の相互の境界の位置、および、最も下流側の吸引孔５５９の位置に配置される。センサ５３６、５３７、５３８、５３９のそれぞれは、記録用紙１５４の存否を検出して、検出結果を制御部２５８に通知する。
【００８６】
図中に点線で示すように、搬送部５１０により搬送された記録用紙１５４の後端は、吸引領域５８０、５８１の境界の位置を通り過ぎた場合に、それをセンサ５３７により検出される。センサ２３７から制御部２５８にその旨が通知されると、制御部２５８は吸引領域２８１による吸引を停止させる。
【００８７】
更に、同図に実線で示すように、搬送部５１０により搬送された記録用紙１５４の後端が、吸引領域５８１、５９０の境界を通り過ぎすると、センサ５３８によりその旨が検出される。センサ５３８から記録用紙１５４が通り過ぎた旨が制御部２５８に通知されると、制御部２５８は吸引領域２９０における吸引を停止させる。こうして、吸引プラテン５５０全面において記録用紙１５４の吸引が停止される。
【００８８】
上記のように、この吸引プラテン５５０においては、吸引孔５５９が記録ヘッド５３２に対して露出した吸引領域５８０、５８１、５９０においては、吸引動作が停止される。従って、開放された吸引孔２５９に流れ込む気流が、記録ヘッド５３２から吐出されたインク滴の軌道を乱すことがない。
【００８９】
また、この吸引プラテン５５０は、その表面が３つの吸引領域５８０、５８１、５９０に分割されて、それぞれが個別に吸引を開始または停止するので、記録用紙１５４の後端の移動に追従して吸引領域５８０、５８１、５９０における吸引の停止を細かく制御できる。従って、露出した吸引孔５５９による吸引が停止される一方で、記録用紙１５４に対して高い吸引力を発揮させることができる。
【００９０】
なお、説明を簡潔する目的で、上記の実施形態では、センサ５３６、５３８をノズル５３４の直上に配置した。しかしながら、インクジェット式記録装置４００において、記録用紙１５４の搬送部５１０により搬送量は精密に制御されている。また、記録用紙１５４の搬送方向の寸法は予め判っている。従って、制御部２５８は、搬送された記録用紙１５４の例えば先端位置を一旦検出すれば、以降は搬送部５１０による搬送量から記録用紙１５４の先端位置を知ることができる。
【００９１】
また、排出駆動ローラ５１９および排出従動ローラ５１８による排出量から、記録用紙１５４の後端位置を知ることができる。従って、実装するセンサ５３６、５３８の数および配置は広範囲に選択できる。
【００９２】
図１６は、また他の実施形態に係る吸引プラテン５５０の構造と動作を示す図である。同図に示すように、この吸引プラテン５５０は、図１４に示した実施形態と同様の構造を有する。
【００９３】
一方、このインクジェット式記録装置１００では、キャリッジ５３０に、記録用紙１５４の搬送方向Ｍに沿って配列された２つの記録ヘッド５３１、５３３が搭載される。このような構造により、キャリッジ５３０の１回の走査により形成できる画素数を増加させて、インクジェット式記録装置１００の実効的な動作速度を向上させることができる。また、吸引領域５８０、５９０の境界は、記録ヘッド５３１、５３３の境界に対向する位置に形成される。
【００９４】
なお、記録ヘッド５３１、５３３は精密な構造を有するので、単一の記録ヘッド５３１、５３３のノズル数を増加させると製造歩留りが低下する。そこで、高い歩留りを維持できる範囲のノズル数で作成した記録ヘッド５３１、５３３を複数組み合わせることにより、低い製造コストでノズル数を増加させることができる。
【００９５】
また、２つの記録ヘッド５３１、５３３は個別に動作させることができる。そこで、図中に点線で示すように、記録用紙１５４の後端が、記録ヘッド５３１、５３３の境界まで搬送された場合、一方の記録ヘッド５３３からインクを吐出させて、記録用紙１５４の後端近傍に画像を記録する。このとき、他方の記録ヘッド５３１は休止している。
【００９６】
上記のような記録ヘッド５３１、５３３の動作状態に応じて、制御部２５８は、吸引領域５８０における記録用紙１５４の吸引を停止させる。一方、吸引領域５９０による記録用紙１５４の吸引は停止させずに継続する。これにより、記録ヘッド５３１から吐出されたインクの軌跡が、吸引プラテン５５０の吸引により生じた気流により乱されることが防止される。
【００９７】
続いて、記録用紙１５４の後端近傍への記録ヘッド５３３による画像の記録が終了すると、排出従動ローラ５１８を含む排出部は記録用紙１５４を搬送して前進させる。これにより、記録用紙１５４の先端が、他方の記録ヘッド２３３の下方まで前進すると、制御部２５８は、吸引領域２９０による記録用紙１５４の吸引も停止する。これにより、２つの記録ヘッド５３１、５３３を用いた記録動作が終了する。また、吸引プラテン５５０は、全面にわたって記録用紙１５４の吸引を停止する。
【００９８】
なお、上記の実施形態では、説明を簡潔にする目的で、吸引を開始または停止と記載したが、記録ヘッド５３２から吐出されたインク滴の軌道を乱さない程度であれば、吸引プラテン５５０が停止せずに動作していても差し支えない。そこで、センサ５３６、５３７、５３８のいずれかが記録用紙１５４を検出していない場合には、吸引ファン２５４の回転速度を低下させる構造とすることもできる。これにより、吸引ファン２５４は弱い吸引力を維持し続けることができると共に、記録用紙１５０を再び吸引する場合の起動時間を短縮できる。
【００９９】
また、上記の実施形態では、制御部２５８が、センサ５３６、５３７、５３８による記録用紙１５４の検出に基づいて吸引プラテン５５０を制御する場合と、複数の記録ヘッド２３１、２３３の動作状態に応じて吸引プラテン２５０を制御する場合について説明した。しかしながら、制御部２５８による制御方法がこれらに限られるわけではない。
【０１００】
例えば、インクジェット式記録装置１００において、記録用紙１５０の搬送部２１０による搬送量は精密に制御されている。従って、制御部２５８は、搬送された記録用紙１５０の例えば先端位置を一旦検出すれば、以降は搬送部２１０による搬送量から記録用紙１５０の先端位置を検知して制御を実行できる。
【０１０１】
図１７は、図６に示した吸引プラテン２５０に換えて使用できる他の吸引プラテン３５０の構造と機能を模式的に示す断面図である。同図に示すように、吸引プラテン３５０は、その上面に多数の吸引孔２５９を有する。吸引孔２５９の下端は、吸引プラテン３５０の内部に形成された複数の減圧室２８３、２９３にそれぞれ連通する。
【０１０２】
減圧室２８３、２９３は、それぞれダクト２８５、２９５を介して、共通の吸引ファン２５４に結合される。また、ダクト２８５、２９５には、それぞれ、アクチュエータ３５１、３５２により開閉するフラップ３５３、３５４が設けられる。吸引ファン２５４、この吸引プラテン３５０の動作期間を通じて連続運転される。
【０１０３】
以上のような構造を有する吸引プラテン３５０では、アクチュエータ３５１、３５２を動作させることにより、フラップ３５３、３５４を開閉して、吸引ファン２５４を減圧室２８３、２９３に個別に結合できる。即ち、図示のようにフラップ３５３がダクト２８５を連通させ、フラップ３５４がダクト２９５を閉鎖している場合、一方の減圧室２８３の内部は減圧され、他方の減圧室２９３の内部は減圧されない。従って、この状態では、吸引領域２８０は吸引力を発生する一方、吸引領域２９０は吸引力を発生しない。
【０１０４】
このように、フラップ３５３、３５４およびアクチュエータ３５１、３５２により開閉バルブを形成することにより、吸引プラテン３５０の吸引領域２８０、２９０の各々における吸引の開始および停止を迅速化することができる。従って、記録用紙１５０、１５４の到来または離脱に応じて、即座に吸引を開始または停止させることができる。また、吸引ファン２５４は定常運転を続けることができ、消耗の激しい起動、停止を繰り返すことを免れるので損耗が少なくなる。更に、吸引ファン２５４が定常運転されるので、吸引ファン２５４が発生する騒音も心理的に低下する。
【０１０５】
図１８は、他の実施形態に係る吸引プラテン５０１の構造を模式的に示す図である。同図に示すように、この吸引プラテン５０１は、図６に示した吸引プラテン２５０と同様に、記録用紙１５４の搬送方向Ｍに沿って配列された２つの吸引領域２８０、２９０を有する。更に、吸引領域２８０、２９０は、搬送方向Ｍと直交する、記録用紙１５４の幅方向について配列された別の吸引領域２８８、２９８をそれぞれ有する。
【０１０６】
このような構造により、記録用紙１５４の幅が吸引プラテン５０１の幅よりも狭い場合に、記録用紙１５４の側方に露出する吸引領域２８８、２９８の吸引を停止させることができる。これにより、記録用紙１５４の幅が狭い場合に、記録用紙１５４の側端部近傍においても、吸引孔２５９に流れ込む気流が記録ヘッド５３２から吐出されたインク滴の軌道を乱すことが防止される。
【０１０７】
以上、本発明を実施の形態を用いて説明したが、本発明の技術的範囲は上記実施の形態に記載の範囲に限定されない。また、上記実施の形態に、多様な変更または改良を加え得ることは当業者に明らかである。更に、その様な変更または改良を加えた形態も本発明の技術的範囲に含まれ得ることが、特許請求の範囲の記載から明らかである。
【図面の簡単な説明】
【０１０８】
【図１】インクジェット式記録装置１００を前面から見た外観を示す斜視図である。
【図２】インクジェット式記録装置１００を背面から見た外観を示す斜視図である。
【図３】インクジェット式記録装置１００の内部機構２００を示す斜視図である。
【図４】内部機構２００に形成される搬送経路３００の一部を拡大して示す図である。
【図５】吸引プラテン２５０の構造を模式的に示す図である。
【図６】搬送経路３００における吸引領域２８０、２９０のレイアウトを示す平面図である。
【図７】吸引プラテン２５０の動作を模式的に示す図である。
【図８】他の形態に係る吸引プラテン２５０の動作を模式的に示す図である。
【図９】また他の形態に係る吸引プラテン２５０の動作を模式的に示す図である。
【図１０】更に他の形態に係る吸引プラテン２５０の動作を模式的に示す図である。
【図１１】他の実施形態に係るインクジェット式記録装置４００の外観を示す斜視図である。
【図１２】インクジェット式記録装置４００の内部機構５００を示す斜視図である。
【図１３】内部機構５００における記録用紙１５４の搬送経路６００を示す図である。
【図１４】吸引プラテン５５０の動作を模式的に示す図である。
【図１５】他の形態に係る吸引プラテン５５０の動作を模式的に示す図である。
【図１６】また他の形態に係る吸引プラテン５５０の動作を模式的に示す図である。
【図１７】他の形態に係る吸引プラテン３５０の構造を模式的に示す図である。
【図１８】更に他の形態に係る吸引プラテン５０１の構造を模式的に示す図である。
【符号の説明】
【０１０９】
１００、４００  インクジェット式記録装置、１１０、４１０  筐体、１１２  上部筐体、１１４  下部筐体、１１６  小型筐体、１２０  脚部、１３０、４３０  操作パネル、１４０  カートリッジホルダ、１５０、１５４  記録用紙、１５２、５５２  ロール、１６０、５６０  スピンドル、２００、５００  内部機構、２１０、５１０  搬送部、２１２、５１２  搬送駆動ローラ、２１４、５１４  搬送従動ローラ、２１６、５１６  ローラホルダ、５１７  軸、２２０、５２０  ガイドレール、２３０、５３０  キャリッジ、２３１、２３２、２３３、５３１、５３２、５３３  記録ヘッド、２３４、５３４  ノズル、２３６、２３７、２３８、２３９、５３６、５３７、５３８、５３９  センサ、２４０  インクカートリッジ、２５０、３５０、５０１、５５０  吸引プラテン、２５１  プラテン本体、２５２  案内面、２５３、２５５  スイッチ、２５４、２８４、２９４  吸引ファン、２５６  電源、２５８  制御部、２５９、５５９  吸引孔、２８０、２８１、２８８、２９０、２９１、２９８、５８０、５８１、５９０  吸引領域、２８３、２８７、２９３、５８３、５８７、５９３  減圧室、２８５、２８９、２９５、５８５、５８９、５９５  ダクト、３００、６００  搬送経路、３５１、３５２  アクチュエータ、３５３、３５４  フラップ、４１２  後部筐体、４１４  記録部筐体、４１６  ペーパカートリッジ、４７０  排出トレイ、５１８  排出従動ローラ、５１９  排出駆動ローラ
【図１】
2009028917.tif 000003
【図２】
2009028917.tif 000004
【図３】
2009028917.tif 000005
【図４】
2009028917.tif 000006
【図５】
2009028917.tif 000007
【図６】
2009028917.tif 000008
【図７】
2009028917.tif 000009
【図８】
2009028917.tif 000010
【図９】
2009028917.tif 000011
【図１０】
2009028917.tif 000012
【図１１】
2009028917.tif 000013
【図１２】
2009028917.tif 000014
【図１３】
2009028917.tif 000015
【図１４】
2009028917.tif 000016
【図１５】
2009028917.tif 000017
【図１６】
2009028917.tif 000018
【図１７】
2009028917.tif 000019
【図１８】
2009028917.tif 000020